(57)【特許請求の範囲】
【請求項１】
複数の電話番号を含むグループを作成してメモリ手段に記憶するグループ登録手段と、
上記グループ登録手段により上記メモリ手段に記憶されたグループより、いずれかのグループを選択するグループ選択手段と、
上記グループ選択手段で選択されたグループに含まれる複数の電話番号の相手と接続するように制御する通信制御手段と、
電話番号および相手画像を電話帳内容として記憶する電話帳メモリ手段と、
上記電話帳メモリ手段に記憶されている、上記通信制御手段の制御で接続された上記複数の電話番号の相手に対応した相手画像を更新し得る画像更新手段と、
上記通信制御手段の制御で接続された上記複数の電話番号の相手のうち、発言音声のある所定の相手からの音声を出力すると共に該所定の相手からの画像を表示するように制御する切替制御手段とを備え、
上記画像更新手段は、上記所定の相手に対応した相手画像を更新し得る
ことを特徴とするテレビ電話装置。
【請求項２】
複数の電話番号を含むグループを作成してメモリ手段に記憶するグループ登録手段と、
上記グループ登録手段により上記メモリ手段に記憶されたグループより、いずれかのグループを選択するグループ選択手段と、
上記グループ選択手段で選択されたグループに含まれる複数の電話番号の相手と接続するように制御する通信制御手段と、
電話番号および相手画像を電話帳内容として記憶する電話帳メモリ手段と、
上記電話帳メモリ手段に記憶されている、上記通信制御手段の制御で接続された上記複数の電話番号の相手に対応した相手画像を更新し得る画像更新手段と、
上記通信制御手段の制御で接続された上記複数の電話番号の相手のうち、発言音声のある所定の相手からの音声を出力すると共に上記複数の電話番号の相手からの画像を順次切り替えて表示するように制御する切替制御手段とを備え、
上記画像更新手段は、上記順次切り替えられる相手に対応した相手画像を更新し得る
ことを特徴とするテレビ電話装置。
【発明の詳細な説明】
【０００１】
【産業上の利用分野】
この発明は、例えばテレビ会議システムの端末装置等に使用して好適なテレビ電話装置に関する。
【０００２】
【従来の技術】
従来、テレビ会議端末装置等に使用されるテレビ電話装置として、電話帳としてのメモリ手段に相手の電話番号を予め登録しておき、電話をかける際には電話帳の内容を表示器に表示し、表示内容の内のいずれかの電話番号を選択することでその電話番号を自動的にダイヤルして相手と接続するものが提案されている。
【０００３】
【発明が解決しようとする課題】
上述したように従来のテレビ電話装置では、相手より電話がかかってきたときに相手の電話番号を取得して登録する機能を持ち合わせていないため、その相手に電話をかける場合にはキー操作部等から電話番号を入力する必要があった。
【０００４】
また、従来のテレビ電話装置では、多地点会議の場合に複数の相手に接続するときは、例えば表示器の表示内容から複数の電話番号を選択する必要があるため、非常に煩わしいものであった。
【０００５】
また、特開昭６３−３１６９６６号公報等に記載されるように、表示器に電話番号と共に相手画像を表示し、相手画像をも参照して電話番号を選択できるようにしたテレビ電話装置も提案されているが、相手画像を任意に更新できないという不都合があった。
【０００６】
そこで、この発明では、多地点会議の場合に複数の相手に接続するための操作を容易とできるテレビ電話装置を提供するものである。
【０００７】
【課題を解決するための手段】
この発明に係るテレビ電話装置は、複数の電話番号を含むグループを作成してメモリ手段に記憶するグループ登録手段と、このグループ登録手段によりメモリ手段に記憶されたグループより、いずれかのグループを選択するグループ選択手段と、このグループ選択手段で選択されたグループに含まれる複数の電話番号の相手と接続するように制御する通信制御手段と、電話番号および相手画像を電話帳内容として記憶する電話帳メモリ手段と、この電話帳メモリ手段に記憶されている、通信制御手段の制御で接続された複数の電話番号の相手に対応した相手画像を更新し得る画像更新手段と、通信制御手段の制御で接続された複数の電話番号の相手のうち、発言音声のある所定の相手からの音声を出力すると共にこの所定の相手からの画像を表示するように制御する切替制御手段とを備え、画像更新手段は、所定の相手に対応した相手画像を更新し得るものである。
また、この発明に係るテレビ電話装置は、複数の電話番号を含むグループを作成してメモリ手段に記憶するグループ登録手段と、このグループ登録手段によりメモリ手段に記憶されたグループより、いずれかのグループを選択するグループ選択手段と、このグループ選択手段で選択されたグループに含まれる複数の電話番号の相手と接続するように制御する通信制御手段と、電話番号および相手画像を電話帳内容として記憶する電話帳メモリ手段と、電話帳メモリ手段に記憶されている、通信制御手段の制御で接続された複数の電話番号の相手に対応した相手画像を更新し得る画像更新手段と、通信制御手段の制御で接続された複数の電話番号の相手のうち、発言音声のある所定の相手からの音声を出力すると共に複数の電話番号の相手からの画像を順次切り替えて表示するように制御する切替制御手段とを備え、画像更新手段は、順次切り替えられる相手に対応した相手画像を更新し得るものである。
【００１０】
【作用】
この発明においては、メモリ手段に記憶された複数のグループよりいずれかのグループを選択したとき、通信制御手段によって選択されたグループに含まれる複数の電話番号の相手と接続するように制御されるため、グループ登録をしておくことによって例えば多地点ＴＶ会議の場合に複数の相手に接続するための操作が容易となる。
【００１３】
【実施例】
以下、図１を参照しながら、この発明の一実施例について説明する。本例はＴＶ会議端末装置に適用した例である。
【００１４】
図において、１００は全体としてテレビ会議端末装置を示している。この端末装置１００は、プロセッサ部１、モニタテレビ２、ビデオカメラ３、スピーカ４、マイクロホン５およびリモコンコマンダ６でもって構成される。この場合、ＩＳＤＮ（Ｉｎｔｅｒｇｒａｔｅｄ  Ｓｅｒｖｉｃｅｓ  Ｄｉｇｉｔａｌ  Ｎｅｔｗｏｒｋ）回線７を介して通話対象である相手側の端末装置より伝送された画像データおよびオーディオデータはプロセッサ部１で受信処理され、プロセッサ部１よりモニタテレビ２にビデオ信号が供給されて相手画像が表示されると共にスピーカ４にオーディオ信号が供給されて相手音声が出力される。一方、ビデオカメラ３より出力されるビデオ信号およびマイクロホン５より出力されるオーディオ信号はプロセッサ部１に供給されて送信処理され、このプロセッサ部１より出力される画像データおよびオーディオデータはＩＳＤＮ回線７を介して相手側の端末装置に伝送される。
【００１５】
図２はプロセッサ部１の構成を示している。図において、ビデオカメラ３より出力されるビデオ信号（輝度信号、色差信号）ＳＶは画像データ処理部１１に供給される。この画像データ処理部１１の動作は、システムコントローラを構成するＣＰＵ１２によって制御される。画像データ処理部１１では、アナログ信号からデジタル信号に変換された後に、ＣＣＩＴＴ（Ｃｏｍｉｔｅ  Ｃｏｎｓｕｌｔａｔｉｆ  Ｉｎｔｅｒｎａｔｉｏｎａｌ  Ｔｅｌｅｇｒａｐｈｉｑｕｅ  ｅｔ  Ｔｅｌｅｐｈｏｎｑｕｅ）、  Ｈ．２６１で規定されたフォーマットでデータ圧縮されると共に、誤り訂正符号が付加されて画像データＤＶが形成される。
【００１６】
マイクロホン５からのオーディオ信号ＳＡはオーディオデータ処理部１３に供給される。このオーディオデータ処理部１３の動作は、ＣＰＵ１２によって制御される。オーディオデータ処理部１３では、アナログ信号からデジタル信号（線形ＰＣＭ信号）に変換された後に、ＣＣＩＴＴ、Ｇ．７１１等に規定のフォーマットでデータ圧縮されてオーディオデータＤＡが形成される。
【００１７】
画像データ処理部１１より出力される画像データＤＶおよびオーディオデータ処理部１３より出力されるオーディオデータは多重分離部１４に供給される。この多重分離部１４の動作はＣＰＵ１２によって制御される。多重分離部１４では、画像データＤＶおよびオーディオデータＤＡがＣＣＩＴＴ、Ｈ．２２１に規定されたフォーマットで多重化されて多重化データＤＭＵが形成される。この多重化データＤＭＵは回線インタフェース１５およびＩＳＤＮ回線７を介して通話対象たる相手側の端末装置に伝送される。
【００１８】
また、相手側の端末装置よりＩＳＤＮ回線７を使用して伝送されてくる多重化データＤＭＵは回線インタフェース１５を介して多重分離部１４に供給される。多重分離部１４では、フレーム同期信号ＦＡＳによって各フレーム内のビットバウンダリが正しく検出され、それに基づいて多重化データＤＭＵより画像データＤＶ、オーディオデータＤＡが分離される。また、多重化データＤＭＵよりビットレート割当信号ＢＡＳも分離され、このビットレート割当信号ＢＡＳはＣＰＵ１２に供給され、画像データ処理部１１、オーディオデータ処理部１３の制御等に使用される。
【００１９】
多重分離部１４で分離された画像データＤＶは画像データ処理部１１に供給されて復号化処理や誤り訂正処理等が行われてビデオ信号ＳＶが形成される。そして、このビデオ信号ＳＶがモニタテレビ２に供給されて相手画像が表示される。また、多重分離部１４で分離されたオーディオデータＤＡはオーディオデータ処理部１３に供給されて復号化処理等が行われてオーディオ信号ＳＡが形成される。そして、このオーディオ信号ＳＡがスピーカ４に供給されて相手音声が出力される。
【００２０】
また、ＣＰＵ１２には、キー操作部１６やリモコン信号受信部１７が接続される他に、メモリ１８が接続される。本例においては、電話番号および相手画像を電話帳に登録することができる。この場合、メモリ１８に電話番号および相手画像のデータが書き込まれることで登録が行われる。
【００２１】
電話をかける場合には、キー操作部１６やコマンダ６の操作に基づき、ＣＰＵ１２によってメモリ１８より電話番号および相手画像のデータが読み出されてグラフィック発生器１９に供給され、このグラフィック発生器１９より電話番号および相手画像よりなる電話帳を表示するためのビデオ信号ＳＶＧが画像データ処理部１１を介してモニタテレビ２に供給され、モニタテレビ２の画面上に電話帳が表示される。そして、ユーザがキー操作部１６やコマンダ６を操作していずれかの電話番号を選択すると、ＣＰＵ１２によって回線インタフェース１５が制御され、その電話番号が自動的にダイヤルされて相手端末側と接続される。
【００２２】
ここで、図３に示すような１対１ＴＶ会議システムにおけるＴＶ会議の開始動作と、電話番号および相手画像の登録動作について説明する。
【００２３】
ＴＶ会議の開始動作は、図４のフローチャートに沿って行われる。パワーオンとされると、ステップＳＴ１で、モニタテレビ２には相手選択画面が表示される。すなわち、メモリ１８より電話番号および相手画像のデータが読み出されてグラフィック発生器１９に供給され、このグラフィック発生器１９より電話番号および相手画像よりなる電話帳を表示するためのビデオ信号ＳＶＧが画像データ処理部１１を介してモニタテレビ２に供給され、モニタテレビ２の画面上に電話帳が表示される。図５は、相手選択画面の一例を示している。
【００２４】
モニタテレビ２の画面上に表示された電話帳に電話をかけようとする相手の電話番号がないときは、ステップＳＴ２で、キー操作部１６あるいはコマンダ６を操作して電話番号が入力される。一方、モニタテレビ２の画面上に表示された電話帳に電話をかけようとする相手の電話番号があるときは、ステップＳＴ３で、キー操作部１６あるいはコマンダ６を操作して、相手画像を参照しながら、相手の電話番号が選択される。
【００２５】
そして、キー操作部１６あるいはコマンダ６の操作でモニタテレビ２の画面上の「電話をかける」のアイコンがヒットされて電話をかける旨の指示がされたとき、ステップＳＴ４で入力あるいは選択された電話番号が自動的にダイヤルされ、これによりステップＳＴ５で相手側の端末装置との接続状態となる。
【００２６】
次に、図６のフローチャートを使用して、電話番号および相手画像の登録動作について説明する。相手側の端末装置に接続されると、ステップＳＴ１１で電話番号が登録済みか否かを判定する。電話番号が登録済みでないときは、ステップＳＴ１２でＩＳＤＮ回線７のＤチャネルより相手の電話番号を取得し、その電話番号のデータをメモリ１８に記憶して電話番号登録をする。続いて、ステップＳＴ１３で、画像データ処理部１１より相手画像のデータをメモリ１８に記憶して画像登録をした後に、ステップＳＴ１４に進む。
【００２７】
ステップＳＴ１４には、ステップＳＴ１１で電話番号登録済みであるときも進む。ステップＳＴ１４では、例えばモニタテレビ２の画面上の一部に相手画像を更新するか否かを確認するための確認画像が表示される（図７参照）。キー操作部１６やコマンダ６によって画像更新をする旨の指示が行われるときは、ステップＳＴ１３に戻り、画像データ処理部１１より相手画像のデータをメモリ１８に上書き記憶して画像更新をする。一方、ステップＳＴ１４で、画像更新をしない旨の指示が行われるときは、ステップＳＴ１５に進む。
【００２８】
ステップＳＴ１５に進むと同時に、モニタテレビ２の画面上の確認画像の表示は消える。ステップＳＴ１５では、キー操作部１６やコマンダ６で記録キーが押圧されているか否かを判定する。記録キーが押圧されるときは、ステップ１１に戻る。これにより、ステップ１２でＩＳＤＮ回線７のＤチャネルより相手の電話番号が取得できず電話番号の登録がまだ行われていない場合に、再度ステップＳＴ１２で電話番号の登録処理を行わせることができる。また、ステップＳＴ１４で、画像更新を指示することができる。
【００２９】
なお、ステップＳＴ１２で、ＩＳＤＮ回線７のＤチャネルより相手の電話番号を取得できず、電話番号を登録できないときは、モニタテレビ２の画面上にその旨を表示してもよい。この場合、こちらから電話をかけた場合であって、相手の電話番号をキー操作部１６やコマンダ６によって入力したものであるときは、その入力した電話番号をメモリ１８に記憶して電話番号登録をしてもよい。ステップＳＴ１２で、電話番号を登録できないときは、ステップＳＴ１３で画像登録のみが行われることとなる。
【００３０】
次に、図８に示すような多地点ＴＶ会議システムにおけるＴＶ会議の開始動作と、電話番号および相手画像の登録動作について説明する。図において、２００は複数のＴＶ会議端末装置１００の間に介在される多地点制御装置（ＭＣＵ）である。
【００３１】
ＴＶ会議の開始動作は、図９のフローチャートに沿って行われる。パワーオンとされると、ステップＳＴ２１で、モニタテレビ２には相手選択画面が表示される。すなわち、メモリ１８より電話番号および相手画像のデータが読み出されてグラフィック発生器１９に供給される。また、上述せずも多地点ＴＶ会議システムではメモリ１８にグループ登録データ（グループ名、グループに含まれる複数の電話番号等のデータ）も記憶される。そのため、グループ登録されているときは、登録されたグループ名のデータもメモリ１８より読み出されてグラフィック発生器１９に供給される。
【００３２】
グラフィック発生器１９からは、電話番号および相手画像よりなる電話帳とグループ登録されたグループ名等を表示するためのビデオ信号ＳＶＧが画像データ処理部１１を介してモニタテレビ２に供給され、モニタテレビ２の画面上に電話帳やグループ名等が表示される。
【００３３】
図１０は、相手選択画面の一例を示しており、グループの内容の表示は、パワーオン時には例えばグループ登録されているグループの最初のグループに含まれる電話番号が相手画像と共に表示される。そのため、グループ登録されていないときは何も表示されない。また、後述するようにキー操作部１６あるいはコマンダ６で所定のグループが選択されるときは、その選択されたグループに含まれる電話番号が相手画像と共に表示される。
【００３４】
モニタテレビ２の画面上に表示された電話帳に電話をかけようとする相手の電話番号がないときは、ステップＳＴ２２で、キー操作部１６あるいはコマンダ６を操作して電話番号が入力される。一方、モニタテレビ２の画面上に表示された電話帳に電話をかけようとする相手の電話番号があるときは、ステップＳＴ２３で、キー操作部１６あるいはコマンダ６を操作して、相手画像を参照しながら、相手の電話番号が選択される。
【００３５】
そして、ステップＳＴ２４で、電話をかけようとする相手の電話番号の全てが入力あるいは選択されたか判定される。キー操作部１６あるいはコマンダ６の操作で全てでない旨が指示されるときはステップＳＴ２２に戻り、ステップＳＴ２２あるいはステップＳＴ２３で相手の電話番号の入力あるいは選択が可能となる。キー操作部１６あるいはコマンダ６の操作で全てである旨が指示されるときは、ステップＳＴ２５で相手が複数であるか否かを判定する。
【００３６】
ステップＳＴ２５で、相手が複数でないときはステップＳＴ２６に進み、相手が複数であるときはステップＳＴ２７でグループ登録されているか否か判定される。また、ステップＳＴ２７で、グループ登録されているときはステップＳＴ２６に進み、グループ登録されていないときはステップＳＴ２８に進んでグループ登録するか否かを判定する。キー操作部１６あるいはコマンダ６の操作でグループ登録をしない旨が指示されるときはステップＳＴ２６に進み、一方グループ登録をする旨が指示されるときはステップＳＴ２９でグループ登録データ（グループ名、そのグループに含まれる電話番号のデータ等）を記憶してグループ登録した後にステップＳＴ２６に進む。
【００３７】
また、ステップＳＴ３０で、モニタテレビ２の画面上に表示されたグループよりいずれかのグループを選択する場合には、ステップＳＴ３１に進む。所定のグループを選択すると、モニタテレビ２の画面上にグループの内容（図１０参照）として選択されたグループに含まれる電話番号が相手画像と共に表示される。ステップＳＴ３１では、グループ変更をするか否かを判定する。キー操作部１６あるいはコマンダ６の操作でグループ変更しない旨が指示されるときはステップＳＴ２６に進み、一方グループ変更をする旨が指示されるときはステップＳＴ３２でグループ変更が行われた後にステップＳＴ２６に進む。
【００３８】
ステップＳＴ３２におけるグループ変更では、選択されたグループに含まれる電話番号に、キー操作部１６あるいはコマンダ６の操作で電話番号を入力して追加したり、または電話帳に表示された電話番号より所定の電話番号を選択して追加したり、さらには選択されたグループに含まれる電話番号より所定の電話番号を削除することで行われる。この場合、電話番号だけでなく、それに付随して表示されている相手画像を参照してグループ変更を行うことができ、間違いなくグループ変更を行うことができる。なお、電話番号の追加や削除の指示はキー操作部１６あるいはコマンダ６の操作によってモニタテレビ２の画面上の「追加」や「削除」のアイコンをヒットすることで行われる。
【００３９】
ステップＳＴ２６では、キー操作部１６あるいはコマンダ６の操作でモニタテレビ２の画面上の「電話をかける」のアイコンがヒットされて電話をかける旨の指示がされたとき、キー操作部１６あるいはコマンダ６の操作で入力あるいは選択された電話番号、またはキー操作部１６あるいはコマンダ６の操作で選択されたグループ（グループ変更されたものを含む）に含まれる電話番号が自動的にダイヤルされ、これによりステップＳＴ３３で相手側の端末装置との接続状態となる。
【００４０】
次に、図１１のフローチャートを使用して、電話番号および相手画像の登録動作について説明する。相手側の端末装置に接続されると、ステップＳＴ４１で電話番号が登録済みか否かを判定する。電話番号が登録済みでないときは、ステップＳＴ４２でＩＳＤＮ回線７のＤチャネルより相手の電話番号を取得し、その電話番号のデータをメモリ１８に記憶して電話番号登録をする。続いて、ステップＳＴ４３で、画像データ処理部１１より相手画像のデータをメモリ１８に記憶して画像登録をした後に、ステップＳＴ４４に進む。
【００４１】
ステップＳＴ４４には、ステップＳＴ４１で電話番号登録済みであるときも進む。ステップＳＴ４４では、例えばモニタテレビ２の画面上の一部に相手画像を更新するか否かを確認するための確認画像が表示される（図７参照）。キー操作部１６やコマンダ６によって画像更新をする旨の指示が行われるときは、ステップＳＴ４３に戻り、画像データ処理部１１より相手画像のデータをメモリ１８に上書き記憶して画像更新をする。一方、ステップＳＴ４４で、画像更新をしない旨の指示が行われるときは、ステップＳＴ４５に進む。
【００４２】
ステップＳＴ４５に進むと同時に、モニタテレビ２の画面上の確認画像の表示は消える。ステップＳＴ４５では、接続されている相手の全てに対する処理が終わったか否かが判定される。全てが終わっていないときは、ステップＳＴ４１に進んで、次の相手に対する処理をする。この場合、ＭＣＵ２００の働きで、例えば音声の切り換えに伴ってモニタテレビ２の画面上に表示される相手画像の切り換えが行われため、この相手画像の切り換え毎にステップＳＴ４１〜ＳＴ４４の処理を行うことも考えられるが、発言のない相手に関してはいつまでも電話番号および相手画像が登録されないこととなる。そこで、本例においては、上述した音声の切り換えに伴って相手画像の切り換えが行われるという自動動作を解除し、強制的に複数の相手が順次切り換えられるようにして解決している。
【００４３】
ステップＳＴ４５で全てが終わったときは、ステップＳＴ４６に進む。ステップＳＴ４６では、キー操作部１６やコマンダ６で記録キーが押圧されているか否かを判定する。記録キーが押圧されるときは、ステップ４１に戻る。これにより、ステップ４２でＩＳＤＮ回線７のＤチャネルより相手の電話番号が取得できず電話番号の登録がまだ行われていない場合に、再度ステップＳＴ４２で電話番号の登録処理を行わせることができる。また、ステップＳＴ４４で、画像更新を指示することができる。
【００４４】
なお、ステップＳＴ４２で、ＩＳＤＮ回線７のＤチャネルより相手の電話番号を取得できず、電話番号を登録できないときは、モニタテレビ２の画面上にその旨を表示してもよい。この場合、こちらから電話をかけた場合であって、相手の電話番号をキー操作部１６やコマンダ６によって入力したものであるときは、その入力した電話番号をメモリ１８に記憶して電話番号登録をしてもよい。ステップＳＴ４２で、電話番号を登録できないときは、ステップＳＴ４３で画像登録のみが行われることとなる。
【００４５】
このように本例においては、相手側の端末装置１００と接続される場合、ＩＳＤＮ回線７のＤチャネルより相手の電話番号を取得して相手画像と共にメモリ１８に記憶して登録するので、電話がかかってきた相手に対してこちらから電話をかける場合には、キー操作部１６あるいはコマンダ６の操作で電話番号を入力する必要がなく、モニタテレビ２の画面上に表示される電話帳よりその相手の電話番号を選択するのみの簡単な操作で行うことができる。
【００４６】
また、メモリ１８に記憶した相手画像を任意に更新できるので、使い勝手の向上を図ることができる。また、メモリ１８に登録された複数のグループよりいずれかのグループを選択したとき、そのグループに含まれる複数の電話番号の相手と接続するように自動的に電話番号がダイヤルされるので、グループ登録をしておくことによって例えば多地点ＴＶ会議の場合に複数の相手に接続するための操作が簡単となる利益がある。
【００４７】
なお、上述実施例においては、メモリ１８には文字情報として電話番号のデータのみが記憶されるように説明したが、その他に例えば会社名や所属、過去のいつ、何回、どれくらいの時間接続したか等のデータも同時に記憶しておき、モニタテレビ２の画面上に表示できるようにすることで、相手の電話番号を選ぶときの参考とできる。
【００４８】
【発明の効果】
この発明によれば、メモリ手段に記憶された複数のグループよりいずれかのグループを選択したとき、通信制御手段によって選択されたグループに含まれる複数の電話番号の相手と接続するように制御されるため、グループ登録をしておくことによって例えば多地点ＴＶ会議の場合に複数の相手に接続するための操作を容易とできる。
【図面の簡単な説明】
【図１】この発明に係るテレビ電話装置の一実施例を示す構成図である。
【図２】プロセッサ部の構成を示すブロック図である。
【図３】１対１ＴＶ会議システムの概要を示す図である。
【図４】１対１ＴＶ会議システムにおけるＴＶ会議の開始動作を示すフローチャートである。
【図５】１対１ＴＶ会議システムにおける相手選択画面を示す図である。
【図６】１対１ＴＶ会議システムにおける電話番号および相手画像の登録動作を示すフローチャートである。
【図７】画像更新の確認画像の表示例を示す図である。
【図８】多地点ＴＶ会議システムの概要を示す図である。
【図９】多地点ＴＶ会議システムにおけるＴＶ会議の開始動作を示すフローチャートである。
【図１０】多地点ＴＶ会議システムにおける相手選択画面を示す図である。
【図１１】多地点ＴＶ会議システムにおける電話番号および相手画像の登録動作を示すフローチャートである。
【符号の説明】
１  プロセッサ部
２  モニタテレビ
３  ビデオカメラ
４  スピーカ
５  マイクロホン
６  リモコンコマンダ
７  ＩＳＤＮ回線
１１  画像データ処理部
１２  ＣＰＵ
１３  オーディオデータ処理部
１４  多重分離部
１５  回線インタフェース
１６  キー操作部
１７  リモコン信号受信部
１８  メモリ
１９  グラフィック発生器
１００  テレビ会議端末装置
２００  多地点制御装置（ＭＣＵ）
【図１】
0003593725.tif 000002
【図２】
0003593725.tif 000003
【図３】
0003593725.tif 000004
【図４】
0003593725.tif 000005
【図５】
0003593725.tif 000006
【図６】
0003593725.tif 000007
【図７】
0003593725.tif 000008
【図８】
0003593725.tif 000009
【図９】
0003593725.tif 000010
【図１０】
0003593725.tif 000011
【図１１】
0003593725.tif 000012